(57)【要約】【課題】表示装置内部の温度が適温範囲となるように、表示装置の設置状態に応じて輝度を適切に制御すること。【解決手段】表示装置１０の内部に複数個の温度センサー２Ａ〜２Ｄを配置する。ＭＰＵ１は温度センサー２Ａ〜２Ｄが検出する温度データを一定時間ごとに取得する。表示装置内部の熱は上部に溜まるという性質を用いて、ＭＰＵ１は温度データが示す温度分布から表示装置の設置姿勢を検出する。ＭＰＵ１は設置姿勢に応じて、温度分布が所定の条件を満たしたときに表示画面７の輝度を下げることによって表示装置１０の内部温度の上昇を抑制する。【選択図】図１
2004325768.tif 000002
【特許請求の範囲】
【請求項１】
表示部と、
当該表示装置の内部の温度を検出する温度センサーと、
前記表示装置の設置姿勢を示す情報を生成する設置姿勢情報生成部と、
前記温度が設定条件を満たすとき前記表示部の輝度を下げる輝度制御部とを具備し、
前記設定条件は前記設置姿勢に応じて決められる、
表示装置。
【請求項２】
請求項１において、
前記温度センサーは複数であり、
前記設置姿勢情報生成部は、前記複数の温度センサーが検出する温度を用いて前記設置姿勢を示す情報を生成する
表示装置。
【請求項３】
表示装置の内部の複数の場所における温度を検出するステップと、
前記温度を用いて前記表示装置の設置姿勢を示す情報を生成するステップと、
前記温度が設定条件を満たすとき前記表示装置の輝度を下げるステップとを具備し、
前記設定条件は前記設置姿勢に応じて決められる
表示装置の温度制御方法。
【発明の詳細な説明】
【０００１】
【発明の属する技術分野】
本発明は、表示装置の温度上昇を抑制する技術に関する。
【０００２】
【従来の技術】
表示装置は、作動している状態において、発光素子による発熱などによって内部の温度が上昇する。表示装置は、内部の温度の上昇を抑制するためにファンに例示される冷却手段を備えている。表示装置の動作の安定性を向上させるためには、温度の上昇を抑制する効果的な手段が設けられることが好ましい。
【０００３】
表示装置の内部の温度が適温範囲外にならないように、発光素子の発光輝度を制御する表示装置が知られている（例えば、特許文献１参照）。
【０００４】
図６は、従来技術による表示装置の一例を示している。表示装置は、映像信号の入力端子を備えた信号処理部２３を具備している。信号処理部２３によって処理された映像信号は、表示／発光制御部２４に入力される。
【０００５】
表示装置は更に、該表示装置内部の温度を検出する温度センサー２２を具備している。温度センサー２２は検出した温度の情報をＭＰＵ２１に送る。ＭＰＵ２１は、温度が所定の温度よりも高くなると、表示／発光制御部２４に対して表示デバイス２５が表示する画面の輝度を下げるように制御して、該表示装置の温度を下げる。更にＭＰＵ２１は、温度が高くなるとファン２６のスイッチを入れ、該表示装置の温度を下げる。
【０００６】
【特許文献１】特開２０００−１９４３３７号公報
【０００７】
【発明が解決しようとする課題】
本発明の目的は、表示装置の設置姿勢に対応した温度制御を行うことである。本発明の他の目的は、表示装置の設置姿勢に対応した温度制御を自動的に行うことである。
本発明の更に他の目的は、表示装置の設置姿勢に対応した温度制御を安価な手段で行うことである。
本発明の更に他の目的は、表示装置の温度を抑制するために輝度を低下させる時間を少なく抑えることである。
【０００８】
【課題を解決するための手段】
以下に、［発明の実施の形態］で使用される番号を括弧付きで用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【０００９】
本発明による表示装置（１０、１０´）は、表示部（７）と、表示装置（１０、１０´）の内部の温度（ＴＡ、ＴＢ、ＴＣ、ＴＤ、ＴＡ´、ＴＢ´、ＴＣ´）を検出する温度センサー（２Ａ、２Ｂ、２Ｃ、２Ｄ、２Ａ´、２Ｂ´、２Ｃ´）と、表示装置（１０、１０´）の設置姿勢を示す情報を生成する設置姿勢情報生成部（１）と、温度（ＴＡ、ＴＢ、ＴＣ、ＴＤ、ＴＡ´、ＴＢ´、ＴＣ´）が設定条件を満たすとき表示部（７）の輝度を下げる輝度制御部（５）とを具備している。設定条件は設置姿勢に応じて決められる。
【００１０】
こうした表示装置によれば、表示装置の設置姿勢に応じた温度制御が行われる。輝度を変えることによる温度制御は騒音を発生せず静かである。こうした表示装置によれば、例えば横置きに設置されたときには輝度を低下しなくても温度が適温範囲内に留まることが分かっている場合に、設置姿勢が縦置きのときだけ温度に基づく輝度の制御を行うことによって、必要の無い輝度の低下を避けることができる。そのため、表示装置の温度を抑制するために輝度を低下する時間が少なく抑えられる。
【００１１】
本発明による表示装置（１０、１０´）において、温度センサー（２Ａ、２Ｂ、２Ｃ、２Ｄ、２Ａ´、２Ｂ´、２Ｃ´）は複数であり、設置姿勢情報生成部（１）は、複数の温度センサー（２Ａ、２Ｂ、２Ｃ、２Ｄ、２Ａ´、２Ｂ´、２Ｃ´）が検出する温度（ＴＡ、ＴＢ、ＴＣ、ＴＤ、ＴＡ´、ＴＢ´、ＴＣ´）を用いて設置姿勢を示す情報を生成する。
【００１２】
こうした表示装置によれば、表示装置の設置姿勢に対応した温度制御が自動的に行われる。こうした表示装置によれば、表示装置の設置姿勢に対応した温度制御が安価な手段で行われる。
【００１３】
本発明による表示装置（１０、１０´）の温度制御方法は、表示装置（１０、１０´）の内部の複数の場所における温度（ＴＡ、ＴＢ、ＴＣ、ＴＤ、ＴＡ´、ＴＢ´、ＴＣ´）を検出するステップと、温度（ＴＡ、ＴＢ、ＴＣ、ＴＤ、ＴＡ´、ＴＢ´、ＴＣ´）を用いて表示装置（１０、１０´）の設置姿勢を示す情報を生成するステップと、温度（ＴＡ、ＴＢ、ＴＣ、ＴＤ、ＴＡ´、ＴＢ´、ＴＣ´）が設定条件を満たすとき表示装置（１０、１０´）の輝度を下げるステップとを具備している。設定条件は設置姿勢に応じて決められる。
【００１４】
こうした表示装置の温度制御方法によれば、表示装置の設置姿勢に応じた温度制御が行われる。こうした表示装置の温度制御方法によれば、表示装置の温度を抑制するために輝度を低下させる時間が少なく抑えられる。
【００１５】
【発明の実施の形態】
［実施の第１形態］
以下、本発明における表示装置の実施の第１形態について説明する。図１を参照して、表示装置１０は、複数の温度センサー２Ａ、２Ｂ、２Ｃ、２Ｄを備えている。温度センサー２Ａ、２Ｂ、２Ｃ、２Ｄが検出した温度ＴＡ、ＴＢ、ＴＣ、ＴＤは、設置状態判定部８に入力される。
【００１６】
設置状態判定部８は、ＭＰＵ１を具備している。設置状態判定部８は、輝度制御部５に接続されている。輝度制御部５は、ディスプレイ投影部７が具備する図示しない画素の輝度を制御する。
【００１７】
表示装置１０は更に、入力された映像信号を処理する信号処理部３を備えている。信号処理部３が出力する信号は、表示コントローラ４に入力される。表示コントローラ４は、ディスプレイ投影部７に接続されている。
【００１８】
図２を参照して、表示装置１０は、プラズマディスプレイパネルに例示されるディスプレイ投影部７を備えている。表示装置１０は更に、ディスプレイ投影部７に垂直な面である上面１１Ａと、ディスプレイ投影部７及び上面１１Ａに垂直な右側面１１Ｂと、右側面１１Ｂに対向する左側面１１Ｃと、上面１１Ａに対向する下面１１Ｄとを備えている。
【００１９】
表示装置１０は図示しない回転手段を具備しており、ディスプレイ投影部７の法線方向を回転軸として自在に回転することが可能である。表示装置１０は図示しない固定手段を具備しており、上面１１Ａ、右側面１１Ｂ、左側面１１Ｃ、下面１１Ｄのうちの所望の面が鉛直方向の上側となる姿勢において回転しないように固定することが可能である。
【００２０】
表示装置１０の内部には、上面１１Ａに近く右側面１１Ｂからの距離と左側面１１Ｃからの距離とが実質的に同じ位置に、温度センサー２Ａが設置されている。
表示装置１０の内部には更に、右側面１１Ｂに近く上面１１Ａからの距離と下面１１Ｄからの距離とが実質的に同じ位置に、温度センサー２Ｂが設置されている。
表示装置１０の内部には更に、左側面１１Ｃに近く上面１１Ａからの距離と下面１１Ｄからの距離とが実質的に同じ位置に、温度センサー２Ｃが設置されている。
表示装置１０の内部には更に、下面１１Ｄに近く右側面１１Ｂからの距離と左側面１１Ｃからの距離とが実質的に同じ位置に、温度センサー２Ｄが設置されている。
【００２１】
こうした構成を具備する表示装置１０は、以下のように動作する。
【００２２】
表示装置１０の図示しない電源が投入され、映像信号が信号処理部３に入力される。信号処理部３が出力する信号は表示コントローラ４に入力される。表示コントローラ４はディスプレイ投影部７を制御してディスプレイ投影部７に映像を表示させる。使用者は、図示しない回転手段と図示しない固定手段とを用いて、表示装置１０を所望の姿勢に固定する。
【００２３】
ディスプレイ投影部７が表示する映像の輝度は、以下のように制御される。
【００２４】
温度センサー２Ａ、２Ｂ、２Ｃ、２Ｄは、各々が設置された場所における表示装置１０の内部の温度ＴＡ、ＴＢ、ＴＣ、ＴＤを検出する。設置状態判定部８は、一定期間ごとに温度ＴＡ、ＴＢ、ＴＣ、ＴＤを取得する。
【００２５】
ＭＰＵ１は、ＴＡ、ＴＢ、ＴＣ、ＴＤを比較し、温度が高い部分を上側であると判定する。熱は上部に上昇していく性質があるため、このような比較によって表示装置１０の設置姿勢を判定することができる。詳しくは、表示装置１０の設置姿勢はＭＰＵ１によって次のように判定される。
【００２６】
（１）ＴＡ＞ＴＢ、かつＴＡ＞ＴＣ、かつＴＡ＞ＴＤのとき、表示装置１０は上面１１Ａが鉛直方向の上側になるように設置されていると判定される。
（２）ＴＢ＞ＴＡ、かつＴＢ＞ＴＣ、かつＴＢ＞ＴＤのとき、表示装置１０は右側面１１Ｂが鉛直方向の上側になるように設置されていると判定される。
（３）ＴＣ＞ＴＡ、かつＴＣ＞ＴＢ、かつＴＣ＞ＴＤのとき、表示装置１０は左側面１１Ｃが鉛直方向の上側になるように設置されていると判定される。
（４）ＴＤ＞ＴＡ、かつＴＤ＞ＴＢ、かつＴＤ＞ＴＣのとき、表示装置１０は下面１１Ｄが鉛直方向の上側になるように設置されていると判定される。
【００２７】
判定された設置状態に対応して、輝度を制御する基準となる温度条件が決められる。温度条件は、予め表示装置１０の内部の温度分布を調べておき、その温度分布を用いて決められることが好ましい。
そうした温度条件に基づいて、例えば次のような制御が行われる。（１）と（４）の場合は、輝度の制御を行わなくても表示装置１０の内部が適温範囲に納まることが知られているため、設置状態判定部８は輝度制御部５に信号を送らない。（２）の場合、設置状態判定部８は、輝度温度ＴＡ、ＴＣあるいはＴＤが所定の温度より高温になったときに、輝度を下げるように輝度制御部５に信号を出す。（３）の場合、設置状態判定部は、温度ＴＡ、ＴＢあるいはＴＤが所定の温度より高温になったときに、輝度を下げるように輝度制御部５に信号を出す。
【００２８】
輝度制御部は、輝度を下げることを指令する信号を受け取ると、ディスプレイ投影部７を制御してディスプレイ投影部７に表示される映像の輝度を下げる。映像の輝度が下げられることによって表示装置１０の内部の温度が低下する。温度ＴＡ、ＴＢ、ＴＣあるいはＴＤが所定の温度条件を満たしたとき、ＭＰＵ１は輝度を上げるように輝度制御部５に信号を出す。輝度を上げるための所定の温度条件は、設置姿勢に応じて決められる。輝度制御部５は、ディスプレイ投影部７を制御してディスプレイ投影部７に表示される映像の輝度を上げる。
【００２９】
こうした表示装置によれば、表示装置の設置姿勢に応じた温度制御が行われる。設置姿勢は表示装置の内部の温度分布から自動的に判定される。温度を用いた設置姿勢の判定は安価に実現される。こうした表示装置によれば、温度調節のために輝度を低下する時間が少なく抑えられ、画質の安定性が向上する。
【００３０】
ディスプレイ投影部７がプラズマディスプレイパネルである場合、プラズマディスプレイパネルは画像を表示しているときの発熱量が大きいことから、本発明による表示装置が行う温度制御は特に好適に用いられる。
【００３１】
本実施の形態の変形例として、設置状態判定部８に代えて、温度以外の情報を用いて表示装置１０の設置姿勢を収集する手段を具備する表示装置が考えられる。そのような手段として、使用者が設置姿勢に応じて切り替えるスイッチ、使用者がディスプレイ投影部７に表示されるメニューから設置姿勢を選択し設定するための入力手段、あるいは重力に応答して設置姿勢を示す情報を出力するジャイロスコープが例示される。
【００３２】
［実施の第２形態］
以下、本発明における表示装置の実施の第２形態について説明する。図３を参照して、表示装置１０´は、複数の温度センサー２Ａ´、２Ｂ´、２Ｃ´を備えている。温度センサー２Ａ´、２Ｂ´、２Ｃ´が検出した温度ＴＡ´、ＴＢ´、ＴＣ´は、設置状態判定部８´に入力される。
【００３３】
設置状態判定部８´は、ＭＰＵ１を備えている。設置状態判定部８´は、輝度制御部５に接続されている。輝度制御部５は、ディスプレイ投影部７が具備する図示しない画素の輝度を制御する。
【００３４】
表示装置１０´は更に、入力された映像信号を処理する信号処理部３を備えている。信号処理部３が出力する信号は、表示コントローラ４に入力される。表示コントローラ４は、ディスプレイ投影部７に接続されている。
【００３５】
図４を参照して、表示装置１０´は、映像を表示する面であるディスプレイ投影部７を備えている。表示装置１０´は更に、ディスプレイ投影部７に垂直な面である上面１１Ａと、ディスプレイ投影部７及び上面１１Ａに垂直な右側面１１Ｂと、右側面１１Ｂに対向する左側面１１Ｃと、上面１１Ａに対向する下面１１Ｄとを備えている。
【００３６】
表示装置１０´は図示しない回転手段を具備しており、ディスプレイ投影部７の法線方向を回転軸として自在に回転することが可能である。表示装置１０´は図示しない固定手段を具備しており、上面１１Ａ、右側面１１Ｂ、左側面１１Ｃ、下面１１Ｄのうちの所望の面が鉛直方向の上側となる姿勢において回転しないように固定することが可能である。
【００３７】
表示装置１０´の内部には、上面１１Ａに近く右側面１１Ｂからの距離と左側面１１Ｃからの距離とが実質的に同じ位置に、温度センサー２Ａ´が設置されている。
表示装置１０´の内部には更に、右側面１１Ｂと下面１１Ｄとが接する角の近くに、温度センサー２Ｂ´が設置されている。
表示装置１０´の内部には更に、左側面１１Ｃと下面１１Ｃとが接する角の近くに、温度センサー２Ｃ´が設置されている。
【００３８】
こうした構成を具備する表示装置１０´は、以下のように動作する。
【００３９】
表示装置１０´の図示しない電源が投入され、映像信号が信号処理部３に入力される。信号処理部３が出力する信号は表示コントローラ４に入力される。表示コントローラ４はディスプレイ投影部７を制御してディスプレイ投影部７に映像を表示させる。使用者は、図示しない回転手段と図示しない固定手段とを用いて、表示装置１０´を所望の姿勢に固定する。
【００４０】
ディスプレイ投影部７が表示する映像の輝度は、以下のように制御される。
【００４１】
温度センサー２Ａ´、２Ｂ´、２Ｃ´は、各々が設置された場所における表示装置１０の内部温度ＴＡ´、ＴＢ´、ＴＣ´を温度収集部８´に出力する。ＭＰＵ１は、温度収集部８´から一定期間ごとにＴＡ´、ＴＢ´、ＴＣ´を取得する。
【００４２】
ＭＰＵ１は、ＴＡ´、ＴＢ´、ＴＣ´を比較し、表示装置１０´の上側ほど温度が高いという基準に基づいて、表示装置１０の設置姿勢を判定する。
図５を参照して、ＭＰＵ１が温度ＴＡ´、ＴＢ´、ＴＣ´を用いて表示装置１０´の設置姿勢を判定する方法について詳しく説明する。下記の説明における（１）、（２）、（３）、（４）の各々は、図５における（１）、（２）、（３）、（４）に対応している。
【００４３】
（１）表示装置１０´が、上面１１Ａが鉛直方向の上側となるように設置されているとき、温度センサー２Ｂ´と温度センサー２Ｃ´とは鉛直方向の下側で実質的に同じ高さとなり、温度センサー２Ａ´は鉛直方向の上側となるため、ＴＢ´とＴＣ´との温度差は小さく、ＴＡ´はＴＢ´及びＴＣ´よりも温度が高くなると考えられる。
【００４４】
したがって、ＴＡ´＞ＴＢ´、かつＴＡ´＞ＴＣ´のとき、表示装置１０´は上面１１Ａが鉛直方向の上側になるように設置されていると判定される。
【００４５】
（２）表示装置１０´が、右側面１１Ｂが鉛直方向の上側となるように設置されているとき、温度センサー２Ｃ´は鉛直方向の下側に位置し、温度センサー２Ａ´は温度センサー２Ｃ´より高くに位置する。そのためＴＡ´＞ＴＣ´である。温度センサー２Ｂ´は温度センサー２Ａ´より高くに位置する。そのためＴＢ´＞ＴＡ´である。
ＴＢ´とＴＣ´の温度差は後述の（４）の場合よりも大きい。ＭＰＵ１は、（４）の場合と区別するために予め設定された温度差ΔＴを用いて、ＴＢ´とＴＣ´の温度差がΔＴよりも大きいとき、右側面１１Ｂが鉛直方向の上側の面となっていると判定する。
【００４６】
したがって、ΔＴを所定の温度差として、ＴＢ´＞ＴＣ´、かつＴＢ´＞ＴＡ´、かつＴＢ´−ＴＣ´＞ΔＴのとき、表示装置１０´は右側面１１Ｂが鉛直方向の上側になるように設置されていると判定される。
【００４７】
（３）表示装置１０´が、左側面１１Ｃが鉛直方向の上側となるように設置されているとき、温度センサー２Ｂ´は鉛直方向の下側に位置し、温度センサー２Ａ´は温度センサー２Ｂ´より高くに位置する。そのためＴＡ´＞ＴＢ´である。
温度センサー２Ｃ´は温度センサー２Ａ´より高くに位置する。そのためＴＣ´＞ＴＡ´である。
表示装置１０´の内部の熱は、鉛直方向上側の面となる左側面１１Ｃの付近に溜まることから、ＴＢ´とＴＣ´の温度差は後述の（４）の場合よりも大きくなる。ＭＰＵ１は、（４）の場合と区別するために予め設定された温度差ΔＴを用いて、ＴＢ´とＴＣ´の温度差がΔＴよりも大きいとき、左側面１１Ｃが鉛直方向の上側の面となっていると判定する。
【００４８】
したがって、ΔＴを所定の温度差として、ＴＣ´＞ＴＢ´、かつＴＣ´＞ＴＡ´、かつＴＣ´−ＴＢ´＞ΔＴのとき、表示装置１０´は左側面１１Ｃが鉛直方向の上側になるように設置されていると判定する。
【００４９】
（４）表示装置１０´が、下面１１Ｄが鉛直方向の上側となるように設置されているとき、温度センサー２Ｂ´と温度センサー２Ｃ´とは鉛直方向の上側で実質的に同じ高さとなり、温度センサー２Ａ´は鉛直方向の下側となるため、ＴＢ´とＴＣ´との温度差は小さく、ＴＢ´及びＴＣ´はＴＡ´よりも温度が高くなると考えられる。
【００５０】
したがって、ΔＴを所定の温度差として、ＴＣ´＞ＴＡ´、かつＴＢ´＞ＴＡ´、かつ｜ＴＢ´−ＴＣ´｜＜ΔＴのとき、表示装置１０´は下面１１Ｄが鉛直方向の上側になるように設置されていると判定される。
【００５１】
表示装置１０´の設置姿勢が判定された後の処理について、上記の（２）の場合を例として説明する。
【００５２】
右側面１１Ｂが鉛直方向の上側となるように設置されていると判定された場合、表示装置１０´の内部の温度は右側面１１Ｂの付近で局所的に高くなっていると考えられる。この場合において、温度ＴＡ´あるいはＴＣ´が所定の基準温度を超えたとき、ＭＰＵ１は輝度を落とすように輝度制御部５に信号を出す。輝度制御部５は、ディスプレイ投影部７を制御してディスプレイ投影部７に表示される映像の輝度を下げる。輝度が下げられることによってディスプレイ投影部７の発熱量が抑制され、表示装置１０´の内部が過熱状態となることが防がれる。
【００５３】
ディスプレイ投影部７に表示される映像の輝度が下げられることによって表示装置１０の内部の温度が低下する。温度ＴＡ´、ＴＢ´あるいはＴＣ´が所定の温度条件を満たしたとき、例えば温度ＴＡ´及びＴＣ´が所定の基準温度を下回ったとき、ＭＰＵ１は輝度を上げるように輝度制御部５に信号を出す。輝度制御部５は、ディスプレイ投影部７を制御してディスプレイ投影部７に表示される映像の輝度を上げる。
【００５４】
温度が高くなったときに輝度を下げるときの温度条件と、温度が低くなったときに輝度を上げるときの温度条件とは、次の制御を行うことによってさらに好適に設定される。
（２）の場合、温度センサー２Ｂ´は鉛直方向の上側の面をなす右側面１１Ｂの中央付近ではなく、下面１１Ｄに近い端部に位置している。こうした位置にある温度センサー２Ｂ´は、表示装置１０´の設計によっては、右側面１１Ｂの中央付近よりも温度が低い場合がある。輝度を上げ下げするための温度条件は、右側面１１Ｂの近くで最も高い温度を用いて決めることが望ましい場合がある。
このとき、（２）で示される表示装置１０´の設置姿勢において、温度センサー２Ｂ´が設置されている位置の温度と、右側面１１Ｂの近くで最も温度が高い部位の温度との相関関係を予め測定しておく。その相関関係を設置状態判定部８´が具備する図示しない記憶装置に格納しておく。設置状態判定部８´は、温度センサー２Ｂ´が検出する温度が入力されると、格納された相関関係を用いて、右側面１１Ｂの近くで最も温度が高い部位の温度を算出する。設置状態判定部８´は、算出された温度を用いて、輝度の制御を指令する信号を輝度制御部５に出力する。
【００５５】
こうした表示装置によれば、少ない温度センサーによって表示装置の設置姿勢が判定される。こうした表示装置は、製造工程が少ない。こうした表示装置は、安価な手段で表示装置の姿勢に応じた温度制御を実現する。
【００５６】
【発明の効果】
本発明によれば、表示装置の設置姿勢に対応した温度制御が行われる。
更に本発明によれば、表示装置の設置姿勢に対応した温度制御が自動的に行われる。
更に本発明によれば、表示装置の設置姿勢に対応した温度制御が安価な手段で行われる。
更に本発明によれば、表示装置の温度を抑制するために輝度を低下させる時間が少なく抑えられる。
【図面の簡単な説明】
【図１】図１は、表示装置の構成を示す。
【図２】図２は、温度センサーの位置を示す。
【図３】図３は、表示装置の構成を示す。
【図４】図４は、温度センサーの位置を示す。
【図５】図５は、設置姿勢と検出温度との対応を示す。
【図６】図６は、従来技術における表示装置の一例である。
【符号の説明】
１…ＭＰＵ
２Ａ、２Ｂ、２Ｃ、２Ｄ…温度センサー
２Ａ´、２Ｂ´、２Ｃ´、２Ｄ´…温度センサー
３…信号処理部
４…表示コントローラ
５…輝度制御部
６…表示デバイス
７…ディスプレイ投影部
８、８´…設置状態判定部
１０、１０´…表示装置
１１Ａ…上面
１１Ｂ…右側面
１１Ｃ…左側面
１１Ｄ…下面
２１…ＭＰＵ
２２…温度センサー
２３…信号処理部
２４…表示／発光制御部
２５…表示デバイス
２６…ファン
【図１】
2004325768.tif 000003
【図２】
2004325768.tif 000004
【図３】
2004325768.tif 000005
【図４】
2004325768.tif 000006
【図５】
2004325768.tif 000007
【図６】
2004325768.tif 000008